(57)【要約】【課題】装飾的燭台を単独で使用しても、又は組み合わせて使用しても美的な効果を奏することができる装飾用燭台及びその使用方法並びに装飾用燭台キットを提供する。【解決手段】平面的に分離可能なパズル片状で、蝋燭４を各々載置可能な複数の燭台片２ａ，２ｂ，２ｃ，２ｄ，２ｅからなり、複数の燭台片２ａ，２ｂ，２ｃ，２ｄ，２ｅが組み合わされることにより一体の形状を形成可能な燭台１とする。【選択図】　図１
2004103434.tif 000002
【特許請求の範囲】
【請求項１】
平面的に分離可能なパズル片状で、蝋燭を各々載置可能な複数の燭台片からなり、複数の燭台片が組み合わされることにより一体の形状を形成可能な燭台であることを特徴とする装飾用燭台。
【請求項２】
前記燭台片は、輪切りの木を複数に切断して形成されたものであることを特徴とする請求項１記載の装飾用燭台。
【請求項３】
前記燭台片は、ガラス、石、陶器、粘土等の天然素材又はプラスチック、ゴム等の樹脂製からなることを特徴とする請求項１記載の装飾用燭台。
【請求項４】
前記蝋燭は、棒状又は球状蝋燭、ティーカップ入り蝋燭又はフローテイング蝋燭であることを特徴とする請求項１〜３のいずれか記載の装飾用燭台。
【請求項５】
前記蝋燭は、２〜１０ｃｍ程度の高さであることを特徴とする請求項１〜４のいずれか記載の装飾用燭台。
【請求項６】
前記燭台は、一体にしたときの直径が約２０〜４０ｃｍ程度であることを特徴とする請求項１〜５のいずれか記載の装飾用燭台。
【請求項７】
前記燭台片には、貫通していない開口部が形成されており、該開口部に蝋燭を載置可能としたことを特徴とする請求項１〜６のいずれか記載の装飾用燭台。
【請求項８】
前記燭台を、食器等が載置されていない時には、燭台片を一体の形状に組み合わされた状態の集合体として使用し、
食器等が載置されている時には、燭台片に分離して使用するようにしたことを特徴とする請求項１〜７記載のいずれかの装飾用燭台の使用方法。
【請求項９】
輪切りの木に蝋燭を載置するための開口部を所定間隔あけて複数形成したものであって、使用者が任意の形状に切断して使用可能にしたことを特徴とする装飾用燭台キット。
【発明の詳細な説明】
【０００１】
【発明の属する技術分野】
本発明は、蝋燭を装飾的に設置するための装飾用燭台及びその使用方法ならびに装飾用燭台キットに関するものである。
【０００２】
【従来の技術】
一般に、装飾用燭台は、一つの蝋燭を載置した燭台を単独で使用するようになっていた。蝋燭を載載した装飾用燭台は、それ自体でも、蝋燭又は燭台に装飾的なデザインを施してある場合が多いので、家庭又はパーテイ会場等で、インテリア又はエクステリアとしても使用することができる（例えば、特許文献１参照。）。
【０００３】
【特許文献１】
特開平１１−０３９９３６号公報
【０００４】
【発明が解決しようとする課題】
しかしながら、装飾用燭台は単独で使用するためにデザインされているため、燭台を互いに平面的に組み合わせたとしても、外観的な一体性がないため、美的ではなく装飾的な効果を楽しむことは期待できない。
【０００５】
従って、本発明は、装飾用燭台を単独で使用しても、又は組み合わせて使用しても美的な効果を奏することができる装飾用燭台及びその使用方法を提供することである。
【０００６】
【課題を解決するための手段】
上述の目的を達成するため、本発明のうち請求項１記載発明では、平面的に分離可能なパズル片状で、蝋燭を各々載置可能な複数の燭台片からなり、複数の燭台片が組み合わされることにより一体の形状を形成可能な燭台であることを特徴とする。
【０００７】
本発明のうち請求項２記載発明では、前記燭台片は、輪切りの木を複数に切断して形成されたものであることを特徴とする。
【０００８】
本発明のうち請求項３記載発明では、前記燭台片は、ガラス、石、陶器、粘土等の天然素材又はプラスチック、ゴム等の樹脂製からなることを特徴とする。
【０００９】
本発明のうち請求項４記載発明では、前記蝋燭は、棒状又は球状蝋燭、ティーカップ入り蝋燭又はフローテイング蝋燭であることを特徴とする。
【００１０】
本発明のうち請求項５記載発明では、前記蝋燭は、２〜１０ｃｍ程度の高さであることを特徴とする。
【００１１】
本発明のうち請求項６記載発明では、前記燭台は、一体にしたときの直径が約２０〜４０ｃｍ程度であることを特徴とする。
【００１２】
本発明のうち請求項７記載発明では、前記燭台片には、貫通していない開口部が形成されており、該開口部に蝋燭を載置可能としたことを特徴とする。
【００１３】
本発明のうち請求項８記載の燭台の使用方法では、前記燭台を、食器等が載置されていない時には、燭台片を一体の形状に組み合わされた状態の集合体として使用し、食器等が載置されている時には、燭台片に分離して使用するようにしたことを特徴とする。
【００１４】
本発明のうち請求項９記載の装飾用燭台キットでは、輪切りの木に蝋燭を載置するための開口部を所定間隔をあけて複数形成したものであって、使用者が任意の形状に切断して使用可能にしたことを特徴とする。
【００１５】
【発明の実施の形態】
本発明の好適な実施の形態について、図面を参照して説明する。図１は、本発明の第１の実施の形態を示す装飾用燭台の斜視図であり、一体の形状を形成した場合の状態を示す。図２は、図１の燭台を分離した状態を示す斜視図である。
【００１６】
図１、２に示すように、本発明の装飾用燭台（以下、燭台）１は、平面的に複数の燭台片２ａ，２ｂ，２ｃ，２ｄ，２ｅに分離可能で、且つ複数の燭台片が集合することにより一体の形状を形成することが可能なものである。なお、本実施の形態では、輪切りの木を５片に分割しているが、これに限定するものではなく、素材の大きさ、デザイン等により、適宜分離する数を決定すると良い。また、分割の仕方も本実施の形態では、ほぼ中央で放射状になるように分離しているがこれに限定するものではなく、例えば、中央を略○、□、△状にして、その周囲を放射状に分離するような形状であっても良い。
【００１７】
各燭台片２ａ，２ｂ，２ｃ，２ｄ，２ｅには、蝋燭が載置可能な開口部が形成されている。開口部は、燭台の高さの中程まで開口されている。開口部が貫通しているものであっても良いが、持ち運びの観点からは、途中まで開口している方が好ましい。開口部の深さは、燭台片の高さ及び蝋燭の高さにもよるが、１〜３ｃｍ程度が好ましい。
【００１８】
燭台１は、輪切りの木を任意の形状に糸鋸等で平面的に切断分割して複数の燭台片２ａ，２ｂ，２ｃ，２ｄ，２ｅとしたものである。燭台１用の適用される木の大きさは特に制限はなく、輪切りとした場合の直径が約２０ｃｍ以上あるのが好ましい。特に、家庭内の使用においては、持ち運び及び外観上、好ましいのは直径２０〜５０ｃｍ程度である。広いスペースの使用においては、直径５０ｃｍ以上であっても効果的であるのは、勿論である。なお、小型のストレート状の蝋燭を使用する場合には、２０ｃｍ以下であっても良い。
【００１９】
また、燭台片２ａ，２ｂ，２ｃ，２ｄ，２ｅには、各１個の蝋燭４を載置するようにしているが、これに限定するものではない。燭台片２ａ，２ｂ，２ｃ，２ｄ，２ｅに複数の蝋燭４を載置するようにしても良い。
【００２０】
また、燭台１の高さも、蝋燭４を載置可能であれば、特に制限はなく、燭台１の直径とのバランス上、適宜デザイン化するのが好ましいが、安定性及び使用勝手上、２〜１０ｃｍ程度が好ましい。１０ｃｍ以上の高さがあると、燭台１の直径とのバランスにもよるが、家庭向けの使用では、安定性の観点から好ましくない。但し、広いスペースでの使用であり、且つ燭台１も大型のものであれば、１０ｃｍ以上の蝋燭４であっても外観上美的な効果を演出することが可能となる。但し、火を灯す蝋燭の場合には、３ｃｍ程度以上の高さがあると、より美的効果を奏することができる。
【００２１】
使用する木としては、例えば、欅、檜、桐、ブナ、楓等、丸太の輪切りができるものであれば、特に制限無く使用することができる。木の種類により、年輪、木目、肌合いを楽しむことができるので、デザイン上種種工夫することが可能である。木の燭台とすることにより、自然の木を直に観察することができる。また、木の種類を変えることにより、木肌の違いを楽しむことができる。また、木の丸太の形状が不揃いであっても、蝋燭が載置可能であれば、燭台を一品毎に製作することができるので、木を有効に利用することができる。また、木毎に、また同じ木であっても部位により木目が異なるので、使用者のオリジナルの燭台を製作することができる。また、分離の仕方によっても、多様な形状を楽しむことができる。このため、国産の良質な木を有効に活用することができるので、林業の活性化にもつながる。さらに、木の上に蝋燭を載置することにより、熱で木の香りが引き出されるので、天然の芳香効果も有するので、視覚的な効果だけではなく、嗅覚に訴えることができるので、相乗的な効果を楽しむことができる。特に、香りの強い木では、ヒーリング効果を奏することができる。木の場合、蝋燭を載置しても、ストレート蝋燭も金属のホルダを使用するため、熱で可燃することはないので、安全面でも問題はない。
【００２２】
本実施の形態では、燭台１は、輪切りの木で製作しているが、これに限定するものではなく、他の材質でも良いことは勿論であり、ガラス、石、陶器、粘土、アルミニウム、ステンレス等の金属製等の天然素材又はプラスチック、ゴム等の樹脂製であっても良い。
【００２３】
ガラス、石、陶器の場合には、切断して製作することができる。粘土の場合には、所望の形状に捏ねて製作することができる。金属の場合は鋳造により製作し、樹脂の場合には、射出成形等により製作することができる。このような多様な材質で燭台を製作することにより、インテリア、エクステリアに応じた使用方法、需要者のニーズに応じた燭台を提供することが可能となる。また、これらの材料は量産が可能であるので、コストを下げることが可能である。また、樹脂等は多様な模様、色を配することができる。例えば、デコレーションケーキの模様等とすることも可能である。
【００２４】
燭台１に載置する蝋燭４は、特に、制限はないが、外観上、棒状蝋燭（ストレートキャンドル）、球状蝋燭、カップ入り蝋燭又はフローテイング蝋燭が好ましい。棒状蝋燭、球状蝋燭の場合には、立設保持が可能なように、金具等のホルダ等が必要となる。カップ入り蝋燭は、有底のコップ状容器に蝋をいれた蝋燭である。なお、フローテイング蝋燭は、有底のコップ状容器であり、使用状態ではその中に例えば球状の蝋燭を水に浮かべて配置される。図示しないが、特に蝋燭を水に浮かべて使用するような場合には、蝋燭を蝋燭カップのなるべく中心に位置決めするように、環状板を蝋燭カップの中に入れてから、蝋燭を該環状板の開口部に置くと良い。また、用途に応じて、アロマ蝋燭、アロマライトであっても良い。
【００２５】
なお、蝋燭４は、炎を出す蝋燭として図示されているが、実際に着火しないものであっても良く、いわゆる蝋燭ではなく電球であってもよく、発光体であれば応用可能である。
【００２６】
図３は、第２の実施の形態を示す装飾用燭台の斜視図であり、一体の形状を形成した場合の状態を示す。図４は、図３の燭台を分離し、組み合わせた状態を示す斜視図である。図５は、図３の燭台を分離し、他の形状となるように組み合わせて一体となった状態を示す斜視図である。
【００２７】
図３は、丸太の木を正６角形に切断して、燭台１としたものである。燭台１は、６個の燭台片３ａ，３ｂ，３ｃ，３ｄ，３ｅ，３ｆから構成される。本実施の形態も第１の実施の形態と同様に、平面的に複数の燭台片３ａ，３ｂ，３ｃ，３ｄ，３ｅ，３ｆが分離可能で、且つ複数の燭台片３ａ，３ｂ，３ｃ，３ｄ，３ｅ，３ｆが集合することにより一体の形状を形成することが可能なものである。各燭台片３ａ，３ｂ，３ｃ，３ｄ，３ｅ，３ｆには、蝋燭４が載置可能な開口部が形成されている。開口部は燭台の高さの中程まで開口されている。蝋燭４はカップ入り蝋燭である。
【００２８】
図４は、図３の燭台１を分離し、２個ずつ組み合わせて四角形としたものを３個の燭台として使用した例を示すものである。また、図５では、図３の燭台１を分離し、燭台片を向きが互いに反対となるように隣接させて一体となった四角形の状態を示したものである。このように、ジグソーパズルのように燭台１の形状を設置することで楽しむことが可能である。
【００２９】
図６は、第３の実施の形態を示す装飾用燭台の斜視図であり、一体の形状を形成した場合の状態を示す。図６は、丸太の木を正方形に切断して、燭台１としたものである。燭台１は、４個の燭台片から構成される。本実施の形態も第１の実施の形態と同様に、平面的に４個の燭台片が分離可能で、且つ４個の燭台片が集合することにより一体の正方形状を形成することが可能なものである。各燭台片には、蝋燭４が載置可能な開口部が形成されている。開口部は燭台の高さの中程まで開口されている。蝋燭４はカップ入り蝋燭である。
【００３０】
図７は、第１の実施の形態の装飾用燭台の使用例を示した斜視図であり、一体の形状を形成した場合の使用例、図８は、図７の状態から燭台を分離したもの及び一体の形状を形成したものが両方混在する場合の使用例を示す。
【００３１】
図７に示すように、ゲストを迎える場合のテーブルセッテイングの際に、食器等が載置されていない時には、燭台１を一体の形状の集合体として複数の燭台１を設置して使用している。この状態で、飲物を飲みながら、歓談するようにしている。そして、食事の用意の間、ゲスト同士で燭台１をバラバラにして、一体に組立てるような余興として楽しむことができ、ゲスト同士のコミュニケーションツールとしても使用することができる。
【００３２】
そして、会食時には、図８のように、各燭台片を分離して載置して、食器が邪魔にならないように、各人の前に燭台片を１つづつ設置して使用するようにしている。これにより、食器の邪魔にならず、さらに、場の雰囲気もまた異なったものとすることができるので、多様に楽しむことが可能となる。また、小さなアクセサリ、小花、プレート等を燭台片の上に置いておくことにより、ゲストの名札として使用したり、ゲストに対し視覚的にもてなすことが可能となる。
【００３３】
また、本発明は、以上の説明から分かるように、この実施形態に限定されるものではなく、種々の改変が可能である。
【００３４】
【発明の効果】
以上説明したように、本発明のうち請求項１記載の発明によれば、平面的に複数のパズル片が分離可能で、且つ複数のパズル片が集合することにより一体の形状を形成することが可能な燭台であって、各燭台片に蝋燭を載置可能とした構成により、装飾的燭台を単独で使用しても、又は組み合わせて使用しても美的な効果を奏することができる装飾用燭台を提供することが可能となる。
【００３５】
請求項２記載の燭台では、輪切りの木を分割して複数の燭台片とした構成とすることにより、素材が天然木なので、視覚的にも優れた燭台を提供することができ、特に、燭台片を一体に組み合わせたときに、一つの木の年輪として統合されるので、木の肌合いの美しさ、質感を楽しむことができる。また、蝋燭を灯すことにより、木の香りを嗅覚的にも楽しむことができる。また、輪切りの木があれば、容易に製作することができる。
【００３６】
請求項３記載の燭台では、ガラス、石、陶器製等の天然素材又はプラスチック、ゴム等の樹脂製とした構成により、このような多様な材質で燭台を製作することにより、インテリア、エクステリアに応じた使用方法、需要者のニーズに応じた燭台を提供することが可能となる。また、これらの材料は量産が可能であるので、コストを下げることが可能である。
【００３７】
請求項４記載の燭台では、前記蝋燭は、棒状又は球状蝋燭、カップ入り蝋燭又はフローティング蝋燭とすることにより、美的に燭台を演出することが可能となる。
【００３８】
請求項５記載の燭台では、蝋燭が、２〜１０ｃｍ程度の高さとしたことにより、外観も美的であり、家庭において使用勝手が良く且つ安全上も問題のない燭台を提供することができる。
【００３９】
請求項６記載の燭台では、燭台が、一体にしたときの直径が約２０〜４０ｃｍ程度である構成としたことにより、特に、家庭において、美観にも優れ、使用勝手の良く、費用的にも適切な燭台を提供することができる。
【００４０】
請求項７記載の燭台では、前記燭台片には、貫通していない開口部が形成されており、該開口部に蝋燭を載置可能とした構成により、安定して載置可能で、製作も容易で持ち運びも便利である。
【００４１】
請求項８記載の装飾用燭台の使用方法では、燭台をテーブルセッティングの際に、食器等が載置されていない時には、一体の形状の集合体として使用し、会食時には、各片に分離して載置するようにしたことにより、食事の際には邪魔にならず、用途に応じて燭台をセッティングすることができるため、場の雰囲気を変えることができ、多様な楽しみ方をすることができる。
【００４２】
請求項９記載の装飾用燭台キットでは、輪切りの木に、蝋燭を載置するための開口部を所定間隔あけて複数形成したものであって、使用者が任意の形状に切断して使用するようにキット化した構成としたので、使用者が好みの形状に木を糸鋸等で切断して、オリジナルの燭台を製作することができるので、作る楽しみを使用者に提供することができる。
【図面の簡単な説明】
【図１】本発明の第１の実施の形態を示す装飾用燭台の斜視図であり、一体の形状を形成した場合の状態を示す。
【図２】図１の燭台を分離した状態を示す斜視図である。
【図３】第２の実施の形態を示す装飾用燭台の斜視図であり、一体の形状を形成した場合の状態を示す。
【図４】図３の燭台を分離し、組み合わせた状態を示す斜視図である。
【図５】図３の燭台を分離し、他の形状となるように組み合わせて一体となった状態を示す斜視図である。
【図６】第３の実施の形態を示す装飾用燭台の斜視図であり、一体の形状を形成した場合の状態を示す。
【図７】本発明の装飾用燭台を使用例を示した斜視図であり、一体の形状を形成した場合の使用例を示す。
【図８】本発明の装飾用燭台の使用例を示した斜視図であり、燭台を分離したもの及び一体の形状を形成したものが両方混在する場合の使用例を示す。
【符号の説明】
１　　燭台
２ａ，２ｂ，２ｃ，２ｄ，２ｅ　　燭台片
３ａ，３ｂ，３ｃ，３ｄ，３ｅ，３ｆ　　燭台片
４　　蝋燭
【図１】
2004103434.tif 000003
【図２】
2004103434.tif 000004
【図３】
2004103434.tif 000005
【図４】
2004103434.tif 000006
【図５】
2004103434.tif 000007
【図６】
2004103434.tif 000008
【図７】
2004103434.tif 000009
【図８】
2004103434.tif 000010